(57)【要約】【課題】採暖用発熱部への通電で発生する低周波磁界による雑音発生を抑制した便座暖房を実現する。【解決手段】ランプヒータ１に電流を供給する一方の電流供給線３を、ランプヒータ１のフィラメント９の近傍に設置し、フィラメント９に流れる電流の方向と反対方向とする構成である。これにより、電流によって発生する磁界を互いに打ち消させ、漏洩磁界による発生ノイズを低減するものである。【選択図】図１
2006136598.tif 000002
【特許請求の範囲】
【請求項１】
空洞部を有する便座本体と、前記便座本体に輻射エネルギーを供給する発熱部をガラス管で覆ったランプヒータと、前記ランプヒータへの二本の電流供給線とを有し、前記電流供給線の一方をランプヒータのガラス管の表面近傍に近接させて設置した暖房便座。
【請求項２】
電流供給線は、一方をガラス管の表面にコイル状に巻いた請求項１記載の暖房便座。
【請求項３】
電流供給線は、一方を複数本に分岐させ、前記分岐線でランプヒータのガラス管を包み込んだ請求項１記載の暖房便座。
【請求項４】
空洞部を有する便座本体と、前記便座本体に熱エネルギーを供給する発熱部をガラス管で覆ったランプヒータと、前記ランプヒータへの二本の電流供給線とを有し、電流供給線は一方をランプヒータのガラス管表面に印刷配線で構成した暖房便座。
【請求項５】
空洞部を有する便座本体と、前記便座本体に熱エネルギーを供給する発熱部をガラス管で覆ったランプヒータと、前記ランプヒータへの二本の電流供給線とを有し、前記便座本体の下部と前記ランプヒータの間に、前記ランプヒータの熱を前記便座本体表面へ反射する反射板を設置し、前記反射板の裏側に前記電流供給線の一方を設置した暖房便座。
【請求項６】
反射板は、ランプヒータに相対向する側を突出させて前記ランプヒータに沿った溝部を形成し、前記溝部に電流供給線の一方をランプヒータに近接して設置した請求項５記載の暖房便座。
【請求項７】
反射板の溝部は、電流供給線の一方の支持部を設置した請求項６記載の暖房便座。
【請求項８】
電流供給線の支持部は、反射板を構成する金属板から切り起こして構成した請求項７記載の暖房便座。
【発明の詳細な説明】
【技術分野】
【０００１】
本発明は便座を短時間で暖房する速温式の暖房便座に関し、特にランプヒータの通電時に発生する磁界を抑制する構成に係るものである。
【背景技術】
【０００２】
従来のこの種の暖房便座は、図９に示すように内部に空洞部１０１を持つ便座１０２で空洞部１０１内にＵ字状にランプヒータ１０４を設置し、ランプヒータ１０４からの熱輻射を着座面１０５に伝え、採暖面をすばやく昇温させるというものであった（例えば、特許文献１参照）。
【特許文献１】特開２０００−１４５９８号公報
【発明の開示】
【発明が解決しようとする課題】
【０００３】
しかしながら、Ｕ字状のランプヒータ１０４はフィラメント１０６がループを構成し、電流が流れると電線の周りに右ネジの法則に従って電流の進む方向に向かって時計回りの向きに磁界が発生し、大気中を伝搬して周囲の電気製品に雑音等となって誤作動などの悪影響を与える懸念があった。そして、前記影響はランプヒータ１０４の電力が大きくなると一層その影響が顕著になるという傾向にあり、雑音もそれにつれて大きくなっていた。また、着座面１０５を数秒で暖めるには電力を大きくする必要があり、また放射される磁界は細い線で構成される発熱部周辺で大きくなっていた。
【０００４】
上記従来の問題点に鑑み、本発明が解決しようとする課題は、暖房時に発生する磁界を簡単な構成で抑制可能な暖房便座を提供することにある。
【課題を解決するための手段】
【０００５】
上記課題を解決するために、本発明は空洞部を有する便座本体と、前記便座本体に輻射エネルギーを供給する発熱部をガラス管で覆ったランプヒータと、ランプヒータへの二本の電流供給線とを有し、電流供給線の一方をランプヒータのガラス管の表面近傍に近接させて設置したものである。
【０００６】
この構成によって、通電したランプヒータの発熱部より発生する磁界が電流供給線に生じる磁界と互いに打ち消しあって抑制され、他の電気製品への悪影響も低減される。
【発明の効果】
【０００７】
本発明の暖房便座は、周囲に漏洩する磁界の大きさを抑制し、低雑音性と速温性を兼ね備えた暖房便座を実現できる。
【発明を実施するための最良の形態】
【０００８】
第１の発明は、空洞部を有する便座本体と、前記便座本体に輻射エネルギーを供給する発熱部をガラス管で覆ったランプヒータと、前記ランプヒータへの二本の電流供給線とを有し、前記電流供給線は一方をランプヒータのガラス管の表面近傍に近接させて設置したものである。
【０００９】
これにより、電流供給線の一方を流れる電流の方向は、フィラメント等の発熱部を流れる電流の方向と逆方向になり、かつ電流供給線の一方が発熱部に近接しているので、それぞれの所を通る電流が作り出す磁界が打ち消し合い、結果として観測される磁界の大きさも抑制され、他の電気製品への悪影響も低減される。従って、低雑音性と速温性を兼ね備えた暖房便座を実現することが可能になる。
【００１０】
第２の発明は、特に第１の発明の電流供給線の一方を、ガラス管の表面にコイル状に巻いたものであり、主たる雑音の発生源であるランプヒータの発熱部と逆方向に流れる電流供給線との磁界の打ち消し合う相互作用が強く起こるようになり、雑音抑制性能の改善を図ることが可能となる。
【００１１】
第３の発明は、特に第１の発明のランプヒータの発熱部を包み込むように電流供給線の一方を複数に分岐して設置したものであり、ランプヒータの発熱部と逆方向に電流が流れる電流供給線の一方の分岐線との磁界の打ち消し合う相互作用が強く起こるようになり、雑音抑制性能の改善を図ることが可能になる。
【００１２】
第４の発明は、空洞部を有する便座本体と、便座本体に熱エネルギーを供給する発熱部をガラス管で覆ったランプヒータと、ランプヒータへの二本の電流供給線とを有し、電流供給線の一方はランプヒータのガラス管の表面に印刷配線したものであり、電流供給線の一方はガラス管の表面に印刷配線しているので、ランプヒータの発熱部と電流供給線の一方の距離を非常に近く設定することができるので、ランプヒータの発熱部と逆方向に電流が流れる電流供給線の一方との磁界の打ち消し合う相互作用による磁界の抑制効果を安定に保つことが可能になる。
【００１３】
第５の発明は、空洞部を有する便座本体と、便座本体に熱エネルギーを供給する発熱部をガラス管で覆ったランプヒータと、ランプヒータへの二本の電流供給線とを有し、ランプヒータの反射板の裏を電流供給線が通るようにしたもので、ランプヒータの発熱部の高温から電流供給線を保護し、安全に電力供給を行える。
【００１４】
第６の発明は、特に第５の発明の反射板のランプヒータに相対向する側を突出させて前記ランプヒータに沿った溝部を形成し、前記溝部に電流供給線の一方をランプヒータに近接して設置したものであり、電流供給線の一方の引き回し位置を溝部で規定できることから、磁界抑制効果の安定化を図ることが可能となる。
【００１５】
第７の発明は、特に第６の発明の反射板の溝部に電流供給線の支持部を設置したもので、電流供給線の空間での位置規定が可能となり、磁界抑制効果の安定化を図ることが可能となる。
【００１６】
第８の発明は、特に第７の発明の支持部を、反射板を構成する金属板から電流供給線のホルダーを切り起こして構成したものであり、ホルダーと反射板の一体化が図れ、取り付け作業の効率化、安価な保持構成の実現が可能となる。
【００１７】
以下、本発明の実施の形態について、図面を参照しながら説明する。なお、この実施の形態によって本発明が限定されるものではない。また、各実施の形態の説明において、同一構成並びに同一作用効果を奏するところには同一符号を付して繰り返し説明を行わないものとする。
【００１８】
（実施の形態１）
図１は本発明の実施の形態１における暖房便座の要部を切り欠いて示す構成図である。図１において、対になるランプヒータ１および２はＡＣ１００Ｖ電源より電力が供給され、左側のランプヒータ１の発熱部であるフィラメント９の一端部に接続した電流供給線３である一方は、ランプヒータ１のガラス管４の表面に近接して通るように配線されている。また、右側のランプヒータ２の発熱部であるフィラメント１０に接続した電流供給線５である一方も、ランプヒータ２のガラス管６の表面に近接して通るように配線されている。また、電源から分岐した他方の電流供給線７および８は、それぞれ直接にランプヒータ１および２の発熱部であるフィラメント９および１０の他端部に接続される。
【００１９】
これらのランプヒータ１、２は、ポリプロピレン樹脂等のブラスチックで構成された便座本体１１の空洞部１２内に設置され、それぞれ二本の電流供給線３、７および二本の電流供給線５、８によりランプヒータ１および２が通電され、フィラメント９および１０が赤熱することによって便座表面（着座部ともいう）１３が暖められる。
【００２０】
本実施の形態において、左側のランプヒータ１のフィラメント９に矢印で示すように上から下に向かって電流が流れているとすると、ランプヒータ１のガラス管４の表面での低周波磁界の方向は矢印１４で示す左向きとなる。一方、ランプヒータ１のガラス管４の表面に近接して設置されている一方の電流供給線３には矢印で示すように下から上に電流が流れ、その電流供給線３の周囲での低周波磁界の方向は矢印１５で示す右向きとなる。
【００２１】
従って、フィラメント９と一方の電流供給線３とに発生する低周波磁界は、互いに逆向きになるので互いに打ち消し合うことになり、打ち消されなかった漏洩分だけ周囲で観測されることになる。右側のランプヒータ２でも通電によって、左側のランプヒータ１と同様にして、フィラメント１０と電流供給線５の周囲に生じる低周波磁界は、互いに打ち消し合う方向となり、打ち消されなかった漏洩分だけ周囲で観測されることになる。
【００２２】
このように本実施の形態では、ランプヒータ１および２とその電流供給線の一方３および５の設置位置、電流の方向を設定することにより、発生する低周波（商用周波数）磁界を電流供給線を利用した簡単な構成で抑制することができ、周囲の電気器具への雑音影響も抑えることが可能となる。
【００２３】
（実施の形態２）
図２は本発明の実施の形態２における暖房便座のランプヒータの構成図である。本実施の形態は、実施の形態１の発明との違いは、ランプヒータ１への一方の電流供給線３がガラス管４の周囲にコイル状に巻かれ、フィラメント９を包み込んでいることで、それ以外の暖房便座の基本的な構成は図１に示す構成と同じなので図１を利用する。また、図１に示す右側のランプヒータ２も、図２では示していないが本実施の形態と同じ構成である。
【００２４】
上記構成のランプヒータを図１に示す暖房便座に使用すると、フィラメント９を流れる矢印で示す電流によって発生する磁界と、ガラス管４に巻いた一方の電流供給線３を流れる矢印で示す電流によって発生する磁界が、互いに強く打ち消し合って漏洩磁界を小さくできる。すなわち、一方の電流供給線３に発生する低周波磁界の方向はコイル状になっているため、フィラメント９により発生する低周波磁界に細かく打ち消し作用が働き、発生する低周波（商用周波数）磁界を確実に抑制することができ、周囲の電気器具への雑音影響も抑えることが可能となる。
【００２５】
（実施の形態３）
図３は本発明の実施の形態３における暖房便座のランプヒータの構成図である。本実施の形態は、実施の形態１の発明との違いは、ランプヒータ１への一方の電流供給線３を、複数本に分岐させ、この複数本の分岐線１６、１７でランプヒータ１のガラス管４の表面に近接してガラス管４を包み込んだことで、それ以外の暖房便座の基本的な構成は図１に示す構成と同じなので図１を利用する。また、図１に示す右側のランプヒータ２も、図３では示していないが本実施の形態と同じ構成である。
【００２６】
上記構成のランプヒータを図１に示す暖房便座に使用すると、フィラメント９を流れる矢印で示す電流によって発生する磁界は、ガラス管４の表面を包み込んだ一方の電流供給線３の分岐線１６、１７を流れる矢印で示す電流によって発生する磁界が大きくなるので、強く打ち消されて大きな磁気抑制効果を得るものであり、漏洩磁界の一層の低減を図ることが可能となる。
【００２７】
（実施の形態４）
図４は本発明の実施の形態４における暖房便座のランプヒータの構成図である。本実施の形態は、実施の形態１の発明との違いは、ランプヒータ１への一方の電流供給線３を、ランプヒータ１のガラス管４の表面に、長手方向に沿い導電体１８を印刷配線して構成したことで、それ以外の暖房便座の基本的な構成は図１に示す構成と同じなので図１を利用する。また、図１に示す右側のランプヒータ２も、図４では示していないが本実施の形態と同じ構成である。
【００２８】
上記構成のランプヒータを図１に示す暖房便座に使用すると、ランプヒータ１への電流供給はガラス管４の表面に印刷配線された導電体１８を介して、フィラメント９に流れる電流方向と反対方向に流れて行われる。従って、ランプヒータ１のフィラメント９に流れる電流は、ガラス管４の表面の導電体１８を流れる電流と逆方向になり、しかもフィラメント９と導電体１８の距離は常に一定に保たれることから磁界抑制効果は大きく、この構成によって漏洩磁束を大幅に低減することが可能となる。
【００２９】
（実施の形態５）
図５は本発明の実施の形態５における暖房便座の構成図である。本実施の形態は、実施の形態１の発明と異なるところは、ランプヒータ１の下に光と熱を反射するステンレス鋼などの金属の反射板１９が設置され、一方の電流供給線３を反射板１９の裏側である下側で、かつランプヒータ１の形状に沿って配線したことで、それ以外の暖房便座の基本的な構成は図１に示す構成と同じなので図１を利用する。また、図１に示す右側のランプヒータ２の部分も、図５では示していないが本実施の形態と同じ構成である。なお、金属製の反射板１９は、光や熱は反射するものの低周波の磁界は通過させる。
【００３０】
上記構成のランプヒータを図１に示す暖房便座に使用すると、ランプヒータ１への電流供給は、電流がフィラメント９を矢印で示す方向に流れ、そして反射板１９の裏側に近接して配線した一方の電流供給線３を矢印で示す方向に流れて行われる。従って、フィラメント９を流れる矢印で示す電流によって発生する磁界と一方の電流供給線３を流れる矢印で示す電流によって発生する磁界が、互いに打ち消し合って漏洩磁界を低減するとともに、一方の電流供給線３をランプヒータ１のフィラメント９の発熱から反射板１９によって保護することが可能となる。
【００３１】
（実施の形態６）
図６は本発明の実施の形態６における暖房便座のランプヒータ部分の断面図である。本実施の形態は、実施の形態５の発明との違いは、反射板１９のランプヒータ１に相対向する側を山形状に突出させて前記ランプヒータに沿った溝部１９ａを反射板１９の裏側に形成し、溝部１９ａに一方の電流供給線３をランプヒータ１に近接して設置したことで、それ以外の暖房便座の基本的な構成は図１および図５に示す構成と同じなので図１、図５を利用する。また、図１に示す右側のランプヒータ２の部分も、図６では示していないが本実施の形態と同じ構成である。
【００３２】
上記構成において、反射板１９はランプヒータ１に相対向する面を山形状に折り曲げられ、ランプヒータ１の発熱をむらなく反射するよう構成されている。一方、反射板１９の裏側の溝部１９ａには、一方の電流供給線３が配設され、一方の電流供給線３とランプヒータ１との位置関係を規定している。従って、実施の形態５で説明したと同じようにしてフィラメント９を流れる矢印で示す電流によって発生する磁界と、一方の電流供給線３を流れる矢印で示す電流によって発生する磁界が、互いに打ち消し合って漏洩磁界を低減する。そして、一方の電流供給線３は溝部１９ａの配線で平板形状の反射板１９よりもランプヒータ１に近接設置できることから一層の磁気低減効果が得られる。
【００３３】
（実施の形態７）
図７は本発明の実施の形態７における暖房便座のランプヒータ部分の断面図である。本実施の形態は、実施の形態６の発明との違いは、反射板１９の裏面の溝部１９ａに配設された一方の電流供給線３を、反射板１９にネジ止めした支持部となる保持金具２０によって反射板１９に固定されていることで、それ以外の暖房便座の基本的な構成は図１および図５に示す構成と同じなので図１、図５を利用する。また、図１に示す右側のランプヒータ２の部分も、図７では示していないが本実施の形態と同じ構成である。
【００３４】
上記構成において、一方の電流供給線３とランプヒータ２との位置関係は保持金具２０により規定され、使用中に一方の電流供給線３の位置ずれが起こらないから磁界抑制効果の安定化を図ることが可能となる。また、これ以外の作用効果は実施の形態５および６で説明した作用効果と同じように期待できる。
【００３５】
（実施の形態８）
図８は本発明の実施の形態８における暖房便座の反射板の要部を示す斜視図である。本実施の形態は、実施の形態５との違いは、ステンレスあるいはアルミなどの金属製の反射板１９における溝部１９ａの部分に、一方の電流供給線３を保持する保持部であるホルダー２１を切り欠き部２２によって構成していることで、それ以外の暖房便座の基本的な構成は図１および図５に示す構成と同じなので図１、図５を利用する。また、図１に示す右側のランプヒータ２の反射板も、図８では示していないが本実施の形態と同じ構成である。
【００３６】
上記構成において、一方の電流供給線３はホルダー２１で保持されることにより、一方の電流供給線３とランプヒータ１との位置関係が規制され、安定的な磁気抑制効果を得ることが可能になる。また、ホルダー２１が反射板１９の切り欠き部２２から切り起こして作成されることで、支持部を取り付ける他の部材やネジなどが必要なく、生産性に富んだ安価な構成が可能となる。また、これ以外の作用効果は実施の形態５および６で説明した作用効果と同じように期待できる。
【産業上の利用可能性】
【００３７】
以上のように、本発明にかかる暖房便座は、電流供給線の引き回し構成によって漏洩磁界の低減を図っているので、電熱器具一般の磁界を発生する熱源設計等の用途にも適用できる。
【図面の簡単な説明】
【００３８】
【図１】本発明の実施の形態１における暖房便座の要部を切り欠いて示す構成図
【図２】本発明の実施の形態２における暖房便座のランプヒータの構成図
【図３】本発明の実施の形態３における暖房便座のランプヒータの構成図
【図４】本発明の実施の形態４における暖房便座のランプヒータの構成図
【図５】本発明の実施の形態５における暖房便座のランプヒータの構成図
【図６】本発明の実施の形態６における暖房便座のランプヒータ部分の断面図
【図７】本発明の実施の形態７における暖房便座のランプヒータ部分の断面図
【図８】本発明の実施の形態８における暖房便座のランプヒータの反射板の部分斜視図
【図９】従来の暖房便座の要部を切り欠いて示す構成図
【符号の説明】
【００３９】
１、２  ランプヒータ
３、５  一方の電流供給線
７、８  他方の電流供給線
４、６  ガラス管
９、１０  フィラメント（発熱部）
１１  便座本体
１２  空洞部
１６、１７  分岐線
１８  導電体
１９  反射板
１９ａ  溝部
２０  保持金具（支持部）
２１  ホルダー（支持部）
２２  切り欠き部
【図１】
2006136598.tif 000003
【図２】
2006136598.tif 000004
【図３】
2006136598.tif 000005
【図４】
2006136598.tif 000006
【図５】
2006136598.tif 000007
【図６】
2006136598.tif 000008
【図７】
2006136598.tif 000009
【図８】
2006136598.tif 000010
【図９】
2006136598.tif 000011